(57)【要約】【課題】耐衝撃性が向上されたバックライト組立体及びこれを有する液晶表示装置を提供する。【解決手段】バックライト組立体は、底部と側部とで構成され収納空間を備えるボトムシャーシと、ボトムシャーシに収納され光を発生する平板蛍光ランプと、側部上に配置される上部面及び上部面から底部の方向に傾いて平板蛍光ランプを固定する固定部とを含むモールドと、ボトムシャーシの外部に配置され平板蛍光ランプを駆動するための放電電圧を出力するインバーターと、を含む。平板蛍光ランプの長辺に対応される固定部は、平板蛍光ランプと離隔される。従って、平板蛍光ランプを安定的に固定し、平板蛍光ランプの耐衝撃性を向上させることができる。【選択図】      図１
2006108065.tif 000002
【特許請求の範囲】
【請求項１】
底部と側部とで構成され収納空間を備えるボトムシャーシと、
前記ボトムシャーシに収納され、光を発生する平板蛍光ランプと、
前記側部上に配置される上部面と、前記上部面から前記底部の方向に傾いて前記平板蛍光ランプを固定する固定部とを含むモールドと、
前記平板蛍光ランプを駆動するための放電電圧を出力するインバーターと、
を含むバックライト組立体。
【請求項２】
前記固定部は、
前記平板蛍光ランプの短辺に対応する第１反射面及び第２反射面と、
前記平板蛍光ランプの長辺に対応する第３反射面及び第４反射面と、を含むことを特徴とする請求項１記載のバックライト組立体。
【請求項３】
前記第１反射面及び前記第２反射面は、前記平板蛍光ランプの端部位を固定することを特徴とする請求項２記載のバックライト組立体。
【請求項４】
前記第３反射面及び前記第４反射面は、前記平板蛍光ランプと所定距離分だけ離隔されることを特徴とする請求項２記載のバックライト組立体。
【請求項５】
前記所定距離は、９ｍｍであることを特徴とする請求項４記載のバックライト組立体。
【請求項６】
前記第３反射面及び前記第４反射面と前記平板蛍光ランプの端部位との間に配置される緩衝部材をさらに含むことを特徴とする請求項４記載のバックライト組立体。  
【請求項７】
前記緩衝部材の表面には、反射層がさらに形成されることを特徴とする請求項６記載のバックライト組立体。
【請求項８】
前記平板蛍光ランプは、
第１基板と、
前記第１基板と離隔されて放電チャンネルを形成する放電チャンネル部と、隣接する前記放電チャンネル部の間に形成され前記第１基板と接するチャンネル分割部と、前記放電チャンネル部と前記チャンネル分割部の端部位とに形成され前記第１基板と結合されるシーリング部とを含む第２基板と、
前記放電チャンネルに放電電圧を印加するための電極と、を含むことを特徴とする請求項１記載のバックライト組立体。
【請求項９】
前記平板蛍光ランプは、
第１基板と、
前記第１基板と一定距離離隔されて配置される第２基板と、
前記第１基板と第２基板との間の空間を放電チャンネルに分割する隔壁と、
前記放電チャンネルに放電電圧を印加するための電極と、を含むことを特徴とする請求項１記載のバックライト組立体。
【請求項１０】
前記ボトムシャーシと前記平板蛍光ランプとの間に配置されて前記平板蛍光ランプを支持する支持部材と、
前記モールドの上部に配置される拡散板と、
前記拡散板を固定するための固定部材と、をさらに含むことを特徴とする請求項１記載のバックライト組立体。
【請求項１１】
底部と側部とで構成され収納空間を備えるボトムシャーシと、
前記ボトムシャーシに収納され、光を発生する平板蛍光ランプと、
前記ボトムシャーシと前記平板蛍光ランプとの間に配置されて前記平板蛍光ランプを支持する支持部材と、
前記側部上に配置される上部面と、前記上部面から前記底部方向に延長されて前記平板蛍光ランプを固定する固定部とを含むモールドと、
前記平板蛍光ランプを駆動するための放電電圧を出力するインバーターと、
を含むバックライト組立体。
【請求項１２】
前記支持部材は、
前記平板蛍光ランプの下部面に対応する第１支持部と、
前記平板蛍光ランプの側面に対応する第２支持部と、
を含むことを特徴とする請求項１１記載のバックライト組立体。  
【請求項１３】
前記固定部は、
前記平板蛍光ランプの短辺に対応する第１反射面及び第２反射面と、
前記平板蛍光ランプの長辺に対応する第３反射面及び第４反射面と、を含むことを特徴とする請求項１２記載のバックライト組立体。
【請求項１４】
前記第１反射面及び前記第２反射面は、前記平板蛍光ランプの端部位を固定することを特徴とする請求項１３記載のバックライト組立体。
【請求項１５】
前記第３反射面及び前記第４反射面は、前記上部面から垂直に延長され前記第２支持部に対応するように配置することを特徴とする請求項１３記載のバックライト組立体。
【請求項１６】
前記モールドの上部に配置される拡散板と、
前記拡散板の上部に配置される光学シートと、
前記拡散板及び光学シートを固定するための固定部材と、をさらに含むことを特徴とする請求項１５記載のバックライト組立体。
【請求項１７】
底部と側部とで構成され収納空間を備えるボトムシャーシと、
前記ボトムシャーシに収納され、光を発生する平板蛍光ランプと、
前記底部と平行な上部面と、前記上部面から前記底部の方向に傾いて前記平板蛍光ランプを固定する固定部とを含むモールドと、
前記平板蛍光ランプの上部に配置され、前記平板蛍光ランプから供給される光を用いて画像を表示する液晶表示パネルと、
前記平板蛍光ランプを駆動するための放電電圧を出力するインバーターと、
を含むことを特徴とする液晶表示装置。
【請求項１８】
前記固定部は、
前記平板蛍光ランプの短辺に対応して、前記平板蛍光ランプの端部位を固定する第１反射面及び第２反射面と
前記平板蛍光ランプの長辺に対応する第３反射面及び第４反射面と、を含むことを特徴とする請求項１７記載の液晶表示装置。  
【請求項１９】
前記第３反射面及び前記第４反射面は、前記平板蛍光ランプと所定距離分だけ離隔されることを特徴とする請求項１８記載の液晶表示装置。
【請求項２０】
前記第３反射面及び前記第４反射面と前記平板蛍光ランプの端部位との間に配置される緩衝部材をさらに含むことを特徴とする請求項１９記載の液晶表示装置。
【請求項２１】
前記緩衝部材の表面には、反射物質が形成されることを特徴とする請求項２０記載の液晶表示装置。
【請求項２２】
前記ボトムシャーシと前記平板蛍光ランプとの間に配置され前記平板蛍光ランプを支持する支持部材をさらに含むことを特徴とする請求項１８記載の液晶表示装置。
【請求項２３】
前記支持部材は、
前記平板蛍光ランプの下部面に対応する第１支持部と、
前記平板蛍光ランプの側面に対応する第２支持部と、を含むことを特徴とする請求項２２記載の液晶表示装置。
【請求項２４】
前記第３反射面及び前記第４反射面は、前記上部面から垂直に延長され前記第２支持部に対応するように配置されることを特徴とする請求項２３記載の液晶表示装置。
【請求項２５】
前記モールドの上部に配置される拡散板と、
前記拡散板の上部に配置される光学シートと、
前記拡散板及び前記光学シートを固定し、前記液晶表示パネルを支持する固定部材と、
前記液晶表示パネルを固定するトップシャーシと、をさらに含むことを特徴とする請求項１７記載の液晶表示装置。
【発明の詳細な説明】
【技術分野】
【０００１】
本発明はバックライト組立体及びこれを有する液晶表示装置に関し、さらに詳細には面状に光を出射する平板蛍光ランプを光源として使用されるバックライト組立体及びこれを有する液晶表示装置に関する。
【背景技術】
【０００２】
一般に、液晶表示装置は液晶を用いて画像を表示する平板表示装置の一つとして、他の表示装置に比べて薄くて軽く、低駆動電圧及び低消費電力であるという長所があって、産業全般に渡って幅広く使用されつつある。
このような液晶表示装置は、画像を表示するための液晶表示パネルが自発光することができない非発光素子であるので、別途の光源を提供するバックライト組立体を必要とする。
従来のバックライト組立体には、光源として細くて長い円筒形状の冷陰極蛍光ランプＣＣＦＬが主に使用された。しかし、液晶表示装置が大型化されるにつれて、要求される冷陰極蛍光ランプの個数が増加し、これにより製造原価が増加され、輝度均一性などの光学的特性が低下する、という問題点が発生している。
【０００３】
このような問題点を解消するために、最近では面状に光を直接出射する平板蛍光ランプに関する開発が進行している。平板蛍光ランプは、内部が複数の放電チャンネルに分割され、各放電チャンネルで発生するプラズマを用いて光を発生させる。このような平板蛍光ランプは、バックライト組立体を薄型化と軽量化によって大面積のものにできるので、極めて薄く形成することができる。
しかし、平板蛍光ランプは、薄くて大きい面積を有することで、外部から加えられる衝撃に脆弱であるという短所を有する。特に、平板蛍光ランプをバックライト組立体に実装した状態で衝撃テストを行う場合、平板蛍光ランプが破損するなどの不良が発生するという問題点がある。
【発明の開示】
【発明が解決しようとする課題】
【０００４】
従って、本発明はこのような問題点を勘案したもので、本発明の目的は平板蛍光ランプを安定的に固定し、平板蛍光ランプの耐衝撃性を向上させることができるバックライト組立体を提供することにある。
本発明の他の目的は、前記のようなバックライト組立体を有する液晶表示装置を提供することにある。
【課題を解決するための手段】
【０００５】
前述した本発明の目的を達成するための一特徴によるバックライト組立体は、ボトムシャーシ、平板蛍光ランプ、モールド及びインバーターを含む。前記ボトムシャーシは、底部と側部とで構成され収納空間を備える。前記平板蛍光ランプは、前記ボトムシャーシに収納させ、光を発生する。前記モールドは、ボトムシャーシの側部上に配置される上部面と、前記上部面から前記底部の方向に傾いて前記平板蛍光ランプを固定する固定部とを含む。前記インバーターは、前記ボトムシャーシの外部に配置され、前記平板蛍光ランプを駆動するための放電電圧を出力する。
前記固定部は、前記平板蛍光ランプの短辺に対応する第１反射面及び第２反射面と、前記平板蛍光ランプの長辺に対応する第３反射面及び第４反射面と、を含む。前記第１反射面及び前記第２反射面は、前記平板蛍光ランプの端部位を固定する。前記第３反射面及び前記第４反射面は、前記平板蛍光ランプと所定距離分だけ離隔される。
前記バックライト組立体は、前記第３反射面及び第４反射面と前記平板蛍光ランプの端部位との間に配置される緩衝部材をさらに含むことができる。前記緩衝部材の表面には反射物質が形成されている。
【０００６】
前述した本発明の目的を達成するための他の特徴によるバックライト組立体は、ボトムシャーシ、平板蛍光ランプ、支持部材、モールド及びインバーターを含む。前記ボトムシャーシは、底部と側部とで構成され収納空間を備える。前記平板蛍光ランプは、前記ボトムシャーシに収納され、光を発生する。前記支持部材は、前記ボトムシャーシと前記平板蛍光ランプとの間に配置され前記平板蛍光ランプを支持する。前記モールドは、前記ボトムシャーシの側部上に配置される上部面と、前記上部面から前記底部の方向に延長されて前記平板蛍光ランプを固定する固定部とを含む。前記インバーターは、前記平板蛍光ランプを駆動するための放電電圧を出力する。
前記支持部材は、前記平板蛍光ランプの下部面に対応する第１支持部と、前記平板蛍光ランプの側面に対応する第２支持部とを含む。前記固定部は、前記平板蛍光ランプの短辺に対応する第１反射面及び第２反射面と、前記平板蛍光ランプの長辺に対応する第３反射面及び第４反射面とを含む。前記第１反射面及び前記第２反射面は、前記平板蛍光ランプの端部位を固定する。前記第３反射面及び前記第４反射面は、前記上部面から垂直に延長され前記第２支持部に対応するように配置される。
【０００７】
本発明の他の目的を達成するための液晶表示装置は、ボトムシャーシ、平板蛍光ランプ、モールド、液晶表示パネル及びインバーターを含む。前記ボトムシャーシは、底部と側部とで構成され収納空間を備える。前記平板蛍光ランプは、前記ボトムシャーシに収納され、光を発生する。前記モールドは、前記ボトムシャーシの底部と平行な上部面と、前記上部面から前記底部の方向に傾いて前記平板蛍光ランプを固定する固定部とを含む。前記液晶表示パネルは、前記平板蛍光ランプの上部に配置され、前記平板蛍光ランプから供給される光を用いて画像を表示する。前記インバーターは、前記平板蛍光ランプを駆動するための放電電圧を出力する。
このようなバックライト組立体及びこれを有する液晶表示装置によると、外部から加えられる衝撃によって平板蛍光ランプが破損することを防止することができる。
【発明を実施するための最良の形態】
【０００８】
以下、図面を参照して本発明の望ましい一実施形態をより詳細に説明する。
図１は本発明の一実施形態によるバックライト組立体を示す分解斜視図である。
図１に示すように、本発明の一実施形態によるバックライト組立体１００は、ボトムシャーシ２００、平板蛍光ランプ３００、モールド４００及びインバーター５００を含む。
ボトムシャーシ２００は、底部２１０と、底部２１０の端部位から延長され収納空間を形成する側部２２０とで構成される。一例で、側部２２０は他の構成要素との結合領域を提供すると共に結合力を向上させるために、底部２１０から上部方向に延長された後底部２１０と並んで折曲げられ、さらに下部方向に折曲げられた構造を有する。ボトムシャーシ２００は、一例で、強度が高く変形が少ない金属からなる。
平板蛍光ランプ３００は、面状に光を出射するためにボトムシャーシ２００の底部２１０に対応する四角形のプレート形状を有する。平板蛍光ランプ３００は、インバーター５００から印加される放電電圧によって内部空間でプラズマ放電を起こし、プラズマ放電によって発生した紫外線を可視光に変換して外部に出射する。平板蛍光ランプ３００は広い面積を有するので、全体面積にかけて均一な発光をするために、内部空間が複数の放電チャンネルに分割された構造を有することが望ましい。
【０００９】
モールド４００は、平板蛍光ランプ３００の上部からボトムシャーシ２００と結合されて、平板蛍光ランプ３００を固定する。モールド４００は、ボトムシャーシ２００の底部２１０と平行な上部面４１０及び上部面４１０から底部２１０の方向に傾いた固定部４２０を含む。上部面４１０は、側部２２０の上部に配置されて側部２２０と結合される。固定部４２０は、上部面４１０から平板蛍光ランプ３００の端部位まで延長されて、平板蛍光ランプ３００を固定する。
インバーター５０は、ボトムシャーシ２００の外部に配置され、平板蛍光ランプ３００を駆動するための放電電圧を出力する。インバーター５００は、外部から印加される低電位の交流電圧を平板蛍光ランプ３００の駆動に適合した高電位の交流電圧に昇圧して出力する。インバーター５００から出力された放電電圧は、第１電源線５１０及び第２電源線５２０を通して平板蛍光ランプ３００に印加される。
【００１０】
バックライト組立体１００は、ボトムシャーシ２００と平板蛍光ランプ３００との間に配置されて、平板蛍光ランプ３００を支持する支持部材６００をさらに含む。支持部材６００は、平板蛍光ランプ３００の端部位に対応して形成され、平板蛍光ランプ３００をボトムシャーシ２００と一定距離だけ離隔させ、平板蛍光ランプ３００とボトムシャーシ２００との電気的接触を遮断する。このために、支持部材６００は絶縁物質からなる。また、支持部材６００は外部から加えられる衝撃を吸収するために、ある程度の弾性を有する物質からなることが望ましい。一例で、支持部材６００はシリコン材質からなる。支持部材６００は、‘コ’字形状を有する２つの部材からなる。これとは違って、支持部材６００は平板蛍光ランプ３００の各辺に対応する４つの部材からなるか、或いは平板蛍光ランプ３００の４つの角に対応する４つの部材からなるか、またはフレーム形状で一体型に形成することもできる。
図２は図１に示されたモールドを具体的に示す斜視図であり、図３は図１に示されたバックライト組立体の組み立てられた断面を示す断面図である。
【００１１】
図２及び図３に示すように、モールド４００はボトムシャーシ２００の側部２２０上に配置される上部面４１０と、上部面４１０から平板蛍光ランプ３００の方向に延長される固定部４２０とを含む。
固定部４２０は、平板蛍光ランプ３００の短辺に対応する第１反射面４２２及び第２反射面４２４と、平板蛍光ランプ３００の長辺に対応する第３反射面４２６及び第４反射面４２８とを含む。第１反射面４２２と第２反射面４２４とは互いに向い合うように配置され、第３反射面４２６と第４反射面４２８とは互いに向い合うように配置される。
第１反射面４２２及び第２反射面４２４は、上部面４１０から延長されて平板蛍光ランプ３００の短辺に該当する端部位を固定する。第１反射面４２２及び第２反射面４２４は、平板蛍光ランプ３００の方向に対して所定角度傾いて形成される。望ましくは、第１反射面４２２及び第２反射面４２４は、平板蛍光ランプ３００の短辺に形成された電極部をカバーすることができるように傾いて形成される。
第３反射面４２６及び第４反射面４２８は、上部面４１０から延長されて、平板蛍光ランプ３００の長辺に該当する端部位を固定する。第３反射面４２６及び第４反射面４２８は、平板蛍光ランプ３００の方向に対して所定角度傾いて形成される。
【００１２】
このように、第１乃至第４反射面４２２、４２４、４２６、４２８からなる固定部４２０が、平板蛍光ランプ３００の端部位を固定することで、平板蛍光ランプ３００を安定的に固定することができる。
一方、モールド４００は図２に示されたように、フレーム形状で一体型に形成される。これとは違って、モールド４００は、‘コ’字または‘Ｌ’字形状を有する２つの部材で構成することができる。
【００１３】
図４は図１に示された平板蛍光ランプを示す斜視図であり、図５は図４に示された平板蛍光ランプの断面図である。
図４及び図５に示すように、平板蛍光ランプ３００は第１基板３１０、第１基板３１０と結合されて放電チャンネル３５０を形成する第２基板３２０及び放電チャンネル３５０に放電電圧を印加するための電極３３０を含む。
第１基板３１０は、四角形の平板形状を有する。一例で、第１基板３１０はガラス材質からなる。第１基板３１０は、放電チャンネル３５０から発生する紫外線が透過しないように、紫外線を遮断する物質をさらに含むことができる。
第２基板３２０は、第１基板３１０と離隔されて放電チャンネル３５０を形成する放電チャンネル部３２２、隣接する放電チャンネル部３２２の間に形成され第１基板３１０と接するチャンネル分割部３２４、及び放電チャンネル部３２２とチャンネル分割部３２４との端部位に形成され第１基板３１０と結合されるシーリング部３２６を含む。第２基板３２０は、放電チャンネル３５０から発生した可視光が透過することができる透明な材質からなる。一例で、第２基板３２０はガラス材質からなる。第２基板３２０は、放電チャンネル３５０から発生する紫外線が透過されないように紫外線を遮断する物質をさらに含むことができる。
【００１４】
第２基板３２０は成形加工によって形成される。即ち、第１基板３１０のようなプレート形状のベース基板を一定温度に加熱した後、所望の形状の金型によって前記ベース基板を成形することにより、放電空間部３２２と、空間分割部３２４と、シーリング部３２６とを含む第２基板３２０を得ることができる。他にも、第２基板３２０は、ベース基板を加熱した後空気の吸入によって形状を加工するなどの多様な方法によって形成することができる。
第２基板３２０の縦断面は図５に示されたように、梯形と類似する複数の半楕円或いは台形が連続的に連結される形態を有する。しかし、これとは違って、第２基板３２０は縦断面が半円、四角形などの多様な形態を有するように形成することができる。
第２基板３２０には隣接する放電チャンネル３５０を互いに連結するための連結通路３４０が形成される。連結通路３４０は、それぞれのチャンネル分割部３２４に少なくとも一つ以上が形成される。連結通路３４０は放電チャンネル３５０に存在する空気を排気するか、放電チャンネル３５０に放電ガスを注入するとき、空気または放電ガスが移動することができる通路を提供する。連結通路３４０は第２基板３２０の成形加工の際、同時に形成される。連結通路３４０は隣接する放電空間３５０を互いに連結することができれば、多様な形状に変形が可能である。望ましくは、連結通路３４０はＳ字形状に撓んだ形状を有する。
【００１５】
第２基板３２０は接着部材３６０を介して第１基板３１０と結合される。一例で、接着部材３６０はガラスより低い融点を有するガラスと金属との混合物であるフリットからなる。第１基板３１０と第２基板３２０との間に、シーリング部３２６に対応して接着部材３６０を除去した後焼成することで、第１基板３１０と第２基板３２０とは互いに結合される。このとき、接着部材３６０は第１基板３１０と第２基板３２０との間のシーリング部３２６のみに形成され、第１基板３１０と接するチャンネル分割部３２４には形成されない。チャンネル分割部３２４は平板蛍光ランプ３００の内部と外部との圧力差によって第１基板３１０に密着する。具体的に、第１基板３１０と第２基板３２０との結合後放電チャンネル３５０に存在する空気を排気して真空状態にし、その後放電チャンネル３５０にはプラズマ放電のための多様な種類の放電ガスが注入される。例えば、放電ガスは水銀、ネオン、アルゴン、クセノン及びクリプトンなどを含むことができる。放電チャンネル３５０に存在する放電ガスのガス圧は約6.7ｋPa〜9.3ｋPa（約５０〜７０ｔｏｒｒ）程度で、外部大気圧である約101.3ｋPa（７６０ｔｏｒｒ）と比較して圧力差が発生する。このような圧力差に起因して、平板蛍光ランプ３００の外部から内部に向かう力が発生し、このような力によってチャンネル分割部３２４は第１基板３１０に密着する。
【００１６】
電極３３０は平板蛍光ランプ３００の両端部にそれぞれ形成される。電極３３０は放電チャンネル３２２の長さ方向と垂直な方向にそれぞれ形成され、全ての放電チャンネル３５０と重畳される。電極３３０は第１基板３１０の外面と第２基板３２０の外面のうち、少なくとも一つの外面に形成されることができる。これとは違って、電極３３０は、第１基板３１０と第２基板３２０との間の放電チャンネル３５０内に形成することもできる。
電極３３０は扱いが容易であり、電気伝導性が高い物質からなる。例えば、電極３３０は銀と、酸化シリコンＳｉＯ２との混合物であるシルバペースト（Ａｇ  Ｐａｓｔｅ）を第１基板３１０及び第２基板３２０にコーティングする方式で形成される。他にも、電極３３０は銅、ニッケル、銀、金、アルミニウム、クロムなどの金属物質のうち、いずれか一つ以上の金属物質からなる金属パウダーをスプレイコーティング方式によって形成することができる。一方、電極３３０の外面には電極３３０を保護し絶縁するための絶縁膜（図示せず）をさらに形成することができる。
【００１７】
平板蛍光ランプ３００は、第１基板３１０の内面に形成される反射膜３１２、及び反射膜３１２の上部面と第２基板３２０とに形成される蛍光膜３１４、３２８をさらに含む。反射膜３１２は蛍光膜３１４、３２８から発生した可視光を反射させて、第１基板３１０を通じて可視光が漏洩することを防止する。蛍光膜３１４、３２８は、第１基板３１０の内面に形成される第１蛍光膜３１４と、第２基板３２０の内面に形成される第２蛍光膜３２８とで区分され得る。第１蛍光膜３１４及び第２蛍光膜３２８は、放電チャンネルからプラズマ放電を通じて発生した紫外線によって励起され可視光を放出する。反射膜３１２、第１蛍光膜３１４及び第２蛍光膜３２８は第１基板３１０と第２基板３２０との結合の前に、第１基板３１０及び第２基板３２０にスプレイ方式を通じて薄い膜状に形成される。このとき、反射膜３１２及び第１蛍光膜３１４は、第１基板３１０の内面であってシーリング部３２６を除いた全体領域に形成される。これとは違って、反射膜３１２及び第１蛍光膜３１４は、チャンネル分割部３２４及びシーリング部３２６に対応する領域を除いた残りの領域のみに形成することができる。第２蛍光膜３２８は、第２基板３２０の内面に全体的に形成されるか、チャンネル分割部３２４及びシーリング部３２６を除いた残りの領域のみに形成することができる。
【００１８】
また、平板蛍光ランプ３００は、第２基板３２０と第２蛍光膜３２８との間及び/または第１基板３１０と反射膜３１２との間に形成される保護膜（図示せず）をさらに含むことができる。保護膜は、第１基板３１０または第２基板３２０と放電チャンネル３５０に注入された水銀との化学的反応を防止して、水銀の損失及び黒化現象を防止する。
図６は図１に示された平板蛍光ランプの他の例を示す斜視図であり、図７は図６に示された平板蛍光ランプの断面図である。
図６及び図７に示すように、平板蛍光ランプ７００は第１基板７１０、第２基板７２０、密封部材７３０及び電極７５０を含む。
第１基板７１０及び第２基板７２０は、四角形のプレート形状を有し、可視光を透過させる透明な材質からなる。一例で、第１基板７１０及び第２基板７２０は透明のガラス材質からなる。第１基板７１０と第２基板７２０は一定距離に離隔配置され内部空間を形成する。第１基板７１０及び第２基板７２０は内部空間から発生した紫外線が漏洩しないように、紫外線を遮断する物質を含むことができる。
【００１９】
密封部材７３０は、第１基板と第２基板７２０との端部位に配置され、第１基板７１０と第２基板７２０とを結合させ、第１基板と第２基板との間の内部空間を密封する。密封部材７３０は、一例で、第１基板７１０及び第２基板７２０と同一のガラス材質からなり、ガラスより低い融点を有するガラスと金属との混合物であるフリットなどの接着剤を通じて第１基板７１０及び第２基板７２０とを結合する。
隔壁７４０は、第１基板７１０と第２隔壁７２０との間に配置され、第１基板７１０と第２基板７２０との間の内部空間を複数の放電チャンネル７６０に分割する。隔壁７４０は互いに同一の方向に延長され棒形状を有し、互いに並んで等間隔に配置される。隔壁７４０は、一例で、密封部材７３０と同一のガラス材質からなり、フリットなどの接着材を通じて第１基板７１０及び第２基板７２０と結合される。他にも、隔壁７４０は溶融された隔壁の主原料をディスペンサーに投入した後、ディスペンサーの移動によって形成することができる。
【００２０】
平板蛍光ランプ７００は、隣接する放電チャンネルを互いに連結するための連結通路７７０を有する。連結通路７７０は各隔壁７４０の長さ方向の両端部のうち、少なくとも一つの端部が密封部材７３０から離隔されて形成される。望ましくは、隔壁７４０は連結通路７７０の形成のために蛇行構造に配置される。即ち、互いに隣接する隔壁７４０のうち、一つの隔壁７４０は長さ方向の一端部が密封部材７３０と離隔され、他の一つの隔壁７４０は、長さ方向の他端部が密封部材７３０と離隔されるように形成される。外にも、連結通路７７０は各隔壁７４０の両端部が密封部材７３０に接触した状態で、隔壁７４０の一部に穴を開ける方法に形成することができる。
電極７５０は隔壁７４０の長さ方向の両端部に対応してそれぞれ形成され、隔壁７４０の長さ方向に垂直な方向に延長されて、全ての放電チャンネル７６０と交差される。電極７５０は第１基板７１０の外面と第２基板７２０の外面のうち、少なくとも一つの外面に形成される。これとは違って、電極７５０は第１基板７１０と第２基板７２０との間の放電チャンネル７６０内に配置することができる。
【００２１】
平板蛍光ランプ７００は、第１基板７１０の内面に形成された反射膜７１２、反射膜７１２の上部面に形成された第１蛍光膜７１４及び第２基板７２０の内面に形成された第２蛍光膜７２２をさらに含む。第１蛍光膜７１４は隔壁７４０の側面にも形成されることができる。反射膜７１２、第１蛍光膜７１４及び第２蛍光膜７２２は、隔壁に対応してその部分を除去することもできる。
【００２２】
図８は本発明の他の実施形態によるバックライト組立体を示す断面図であり、図９は図８に示されたモールドを示す斜視図である。本実施形態において、モールドを除いた残りの構成要素は図３に示されたのと同一の構造を有するので、その重複する詳細な説明は省略する。
図８及び図９に示すように、モールド４３０は上部面４４０及び上部面４４０に対して傾いて延長される固定部４５０を含む。上部面４４０はボトムシャーシ２００の底部２１０と平行であり、ボトムシャーシ２００の側部２２０上に配置される。固定部４５０は上部面４４０から平板蛍光ランプ３００の方向に折曲げられ平板蛍光ランプ３００を固定する。
【００２３】
固定部４５０は、平板蛍光ランプ３００の短辺に対応する第１反射面４５２及び第２反射面４５４と、平板蛍光ランプ３００の長辺に対応する第３反射面４５６及び第４反射面４５８を含む。第１反射面４５２と第２反射面４５４は、互いに向き合うように配置され、第３反射面４５６と第４反射面４５８とは互いに向き合うように配置される。
第１反射面４５２及び第２反射面４５４は、上部面４４０から延長され平板蛍光ランプ３００の短辺に該当する端部位を固定する。第１反射面４５２及び第２反射面４５４は、平板蛍光ランプ３００の方向に所定角度傾いて形成される。望ましくは、第１反射面４５２及び第２反射面４５４は、平板蛍光ランプ３００の短辺側に形成された電極領域をカバーすることができるように傾いて形成される。
【００２４】
第３反射面４５６及び第４反射面４５８は、上部面４４０から所定角度傾いて平板蛍光ランプ３００方向に延長される。第３反射面４５６及び第４反射面４５８は、平板蛍光ランプ３００と所定の第１距離分だけ離隔されて形成される。第３反射面４５６及び第４反射面４５８が平板蛍光ランプ３００と第１距離分だけ離隔されることに起因して、平板蛍光ランプ３００の耐衝撃性が向上される。即ち、平板蛍光ランプ３００がモールド４４０の第１反射面４５２及び第２反射面４５４によって固定された状態で外部から衝撃が加えられた場合、平板蛍光ランプ３００は第３反射面４５６及び第４反射面４５８との空間内で自由に変形することができるようになる。従って、平板蛍光ランプ３００自体の変形を通じて外部から加えられた衝撃を吸収することで、平板蛍光ランプ３００の耐衝撃性を向上させることができる。
【００２５】
表１は第１距離Ｌ１の変化による衝撃実験の結果を示す測定値である。表１の測定値は平板蛍光ランプ３００が破損しない最小限の衝撃加速度Ｇを示す。
【表１】
2006108065.tif 000003
表１を参照すると、実験例１及び実験例２に示されたように、第１距離Ｌ１が大きくなるほど平板蛍光ランプ３００が吸収できる衝撃量が増加することがわかる。特に、第１距離Ｌ１が約９．０ｍｍの場合、平板蛍光ランプ３００は衝撃加速度が５０Ｇ以上でも破損せずに衝撃に耐えられることがわかる。
図１０は本発明のさらに他の実施形態によるバックライト組立体を示す断面図である。本実施形態において、緩衝部材を除いた残りの構成要素は図８に示したものと同一の構造を有するので、同一の構成要素については同一の図面符号を使用し、その重複する説明は省略する。
【００２６】
図１０に示すように、バックライト組立体１２０は緩衝部材４６０をさらに含む。緩衝部材４６０は、モールド４３０の第３反射面４５６及び第４反射面４５８と平板蛍光ランプ３００の長辺に該当する端部位との間に配置される。緩衝部材４６０は平板蛍光ランプ３００が衝撃によって変形される場合、その変形を防止しない程度の軟らかい材質からなることが望ましい。一例で、緩衝部材４６０はスポンジからなる。緩衝部材４６０は第３反射面４５６及び第４反射面４５８の傾斜角度と同一の角度に傾いた傾斜面を有する。緩衝部材４６０は平板蛍光ランプ３００から発生した光を反射させるために反射物質をさらに含むことができる。
緩衝部材４６０の傾斜面には反射層４６５がさらに形成されることができる。反射層４６５は平板蛍光ランプ３００から発生した光を反射させる。
【００２７】
第３反射面４５６及び第４反射面４５８が平板蛍光ランプ３００と離隔されることに起因して、第３反射面４５６及び第４反射面４５８に対応する領域が他の領域に比べて暗くなる、いわゆる暗部が発生する場合がある。これに対しては、第３反射面４５６及び第４反射面４５８と平板蛍光ランプ３００との間に配置された緩衝部材４６０及び反射層４６５が平板蛍光ランプ３００から発生した光を反射させることで、暗部を除去することができる。
図１１は本発明のさらに他の実施形態によるバックライト組立体を示す断面図である。本実施形態において、モールドを除いた残りの構成要素は図３に示されたのと同一の構造を有するので、同一の構成要素については同一の図面符号を使用し、その重複する詳細な説明は省略することにする。
【００２８】
図１１に示すように、モールド４７０は上部面４８０及び上部面４８０から底部２１０の方向に延長される固定部４９０を含む。上部面４８０はボトムシャーシ２００の底部２１０と平行であり、ボトムシャーシ２００の側部２２０上に配置される。固定部４９０は上部面４８０から垂直に折曲げられて底部２１０方向に延長される。
固定部４９０は平板蛍光ランプ３００の短辺に対応する第１反射面及び第２反射面と、平板蛍光ランプ３００の長辺に対応する第３反射面４９６及び第４反射面４９８を含む。第１反射面及び第２反射面は図９に示されたのと同一の構造を有するので、重複する詳細な説明は省略する。
一方、支持部材６００は、平板蛍光ランプ３００の下部面に対応する第１支持部材６１０と、平板蛍光ランプ３００の側面に対応する第２支持部６２０とで構成される。第３反射面４９６及び第４反射面４９８は上部面４８０から垂直に延長され、第２支持部６２０に対応して配置される。従って、第３反射面４９６及び第４反射面４９８は平板蛍光ランプ３００の長辺に該当する端部位を拘束しなくなり、平板蛍光ランプ３００の耐衝撃性が向上する。
【００２９】
図１２は本発明のさらに他の実施形態によるバックライト組立体を示す分解斜視図であり、図１３は図１２に示されたバックライト組立体の結合された断面図である。本実施形態において、ボトムシャーシ、平板蛍光ランプ、モールド、インバーター及び支持部材は図１乃至図１１に示された実施形態と同一であるので、その重複する詳細な説明は省略する。
図１２及び図１３に示すように、バックライト組立体１４０は、モールド４００の上部に配置される拡散板８１０、拡散板８１０の上部に配置される光学シート８２０及び拡散板８１０と光学シート８２０を固定するための固定部材８３０をさらに含む。
拡散板８１０は平板蛍光ランプ３００から出射する光を拡散させて輝度均一性を向上させる。拡散板８１０は所定の厚さを有するプレート形状からなる。拡散板８１０はモールド４１０によって支持され、平板蛍光ランプ３００と一定間隔に離隔され配置される。
【００３０】
光学シート８２０は拡散板８１０を通じて拡散された光の経路を再度変更して、光の輝度特性を向上させる。光学シート８２０は、拡散板８１０を通じて拡散された光を集光させて正面輝度を向上させるための集光シートを含むことができる。また、光学シート８２０は、拡散反８１０を通じて拡散された光を再度拡散させるための拡散シートを含むことができる。一方、バックライト組立体１４０は、要求される輝度特性によって多様な機能の光学シート８２０を追加したり、除去したりすることが可能である。
固定部材８３０はモールド４００に対応される四角フレーム形状を有する。固定部材８３０は拡散板８１０及び光学シート８２０の上部面の端部位を固定する。固定部材８３０は‘Ｌ’字形状または‘コ’字形状の２つの部材からなることができる。
【００３１】
図１４は本発明の一実施形態による液晶表示装置を示す分解斜視図である。本実施形態において、バックライト組立体は図１２に示されたのと同一であるので、同一の図面符号を使用し、その重複する詳細な説明は省略する。
図１４に示すように、液晶表示装置１０００は光を供給するためのバックライト組立体１４０、画像を表示するための表示ユニット９００及び表示ユニット９００を固定するためのトップシャーシ９８０を含む。
【００３２】
表示ユニット９００は、バックライト組立体１４０から供給される光を用いて画像を表示する液晶表示パネル９１０、液晶表示パネル９１０を駆動するための駆動信号を提供するデータ印刷回路基板９２０及びゲート印刷回路基板９３０を含む。データ印刷回路基板９２０及びゲート印刷回路基板９３０から提供される駆動信号は、データ回路可撓性フィルム９４０及びゲート回路可撓性フィルム９５０を通じて液晶表示装置９１０に印加される。データ回路可撓性フィルム９４０及びゲート回路可撓性フィルム９５０は、一例で、テープキャリアパッケージ（ＴＣＰ）またはチップオンフィルム（ＣＯＦ）からなる。また、データ回路可撓性フィルム９４０及びゲート回路可撓性フィルム９５０それぞれは、データ印刷回路基板９２０及びゲート印刷回路基板９３０から提供される駆動信号を、適切なタイミングで液晶表示パネル９１０に印加するために、駆動信号を制御するデータ駆動チップ９４２及びゲート駆動チップ９５２を有する。
【００３３】
液晶表示パネル９１０は、薄膜トランジスタ（以下、ＴＦＴと称する）基板９１２、ＴＦＴ基板９１２と対向して結合されるカラーフィルター基板９１４、及び前記２つの基板９１２、９１４の間に介在された液晶９１６を含む。
ＴＦＴ基板９１２はスイッチング素子であるＴＦＴ（図示せず）がマトリックス状に形成された透明なガラス基板である。前記ＴＦＴのソース及びゲート端子には、それぞれデータ及びゲートラインが連結され、ドレイン端子には透明な導電性材質からなる画素電極（図示せず）が連結される。
カラーフィルター基板９１４は色画素であるＲＧＢ画素（図示せず）が薄膜工程によって形成された基板である。カラーフィルター基板９１４には透明な導電性材質からなる共通電極（図示せず）が形成される。
【００３４】
このような構成を有する液晶表示パネル９１０は、前記ＴＦＴのゲート端子に電源が印加されてＴＦＴがターンオンされると、画素電極と共通電極との間には電界が形成される。このような電界によってＴＦＴ基板９１２とカラーフィルター基板９１４との間に介在された液晶９１６の配列が変化し、液晶９１６の配列変化によってバックライト組立体１４０から供給される光の透過度が変更されて、所望する階調の画像を得るようになる。
トップシャーシ９８０は、液晶表示パネル９１０の端部位を取り囲みながらボトムシャーシ２００に結合されて、液晶表示パネル９１０をバックライト組立体１４０の上部に固定する。トップシャーシ９８０は、外部衝撃による液晶表示パネル９１０の破損を防止し、液晶表示パネル９１０がバックライト組立体１４０から離脱することを防止する。
このようなバックライト組立体及びこれを有する液晶表示装置によると、ボトムシャーシに収納された平板蛍光ランプをモールドを通じて安定的に固定することができる。また、平板蛍光ランプの長辺に対応されるモールドの反射面を平蛍光ランプと離隔させることで、平板蛍光ランプの耐衝撃性を向上させることができる。また、平板蛍光ランプの長辺と反射面との間に反射層が形成された緩衝部材を配置することで、暗部現象を除去することができる。
以上、本発明の実施形態によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００３５】
【図１】本発明の一実施形態によるバックライト組立体を示す分解斜視図である。
【図２】図１に示されたモールドを具体的に示す斜視図である。
【図３】図１に示されたバックライト組立体の結合された断面を示す断面図である。
【図４】図１に示された平板蛍光ランプを示す斜視図である。
【図５】図４に示された平板蛍光ランプの断面図である。
【図６】図１に示された平板蛍光ランプの他の例を示す斜視図である。
【図７】図６に示された平板蛍光ランプの断面図である。
【図８】本発明の他の実施形態によるバックライト組立体を示す断面図である。
【図９】図８に示されたモールドを示す斜視図である。
【図１０】本発明のさらにまたの実施形態によるバックライト組立体を示す断面図である。
【図１１】本発明のさらにまたの実施形態によるバックライト組立体を示す断面図である。
【図１２】本発明のさらにまたの実施形態によるバックライト組立体を示す分解斜視図である。
【図１３】図１２に示されたバックライト組立体の結合された断面図である。
【図１４】本発明の一実施形態による液晶表示装置を示す分解斜視図である。
【符号の説明】
【００３６】
１００      バックライト組立体
２００      ボトムシャーシ
３００      平板蛍光ランプ
４００      モールド
４１０      上部面
４２０      固定部
４２２、４２４      第１及び第２反射面
４２６、４２８      第３及び第４反射面
５００      インバーター
６００      支持部材
８１０      拡散板
８２０      光学シート
８３０      固定部材
９００      表示ユニット
９１０      液晶表示パネル
９００      トップシャーシ
１０００      液晶表示装置
【図１】
2006108065.tif 000004
【図２】
2006108065.tif 000005
【図３】
2006108065.tif 000006
【図４】
2006108065.tif 000007
【図５】
2006108065.tif 000008
【図６】
2006108065.tif 000009
【図７】
2006108065.tif 000010
【図８】
2006108065.tif 000011
【図９】
2006108065.tif 000012
【図１０】
2006108065.tif 000013
【図１１】
2006108065.tif 000014
【図１２】
2006108065.tif 000015
【図１３】
2006108065.tif 000016
【図１４】
2006108065.tif 000017